(57)【特許請求の範囲】
【請求項１】
液体含有物及び樹脂シート状物を含む被分離物を、液体含有物と樹脂シート状物とに遠心力を用いて分離する分離機であって回転軸の両端部を除いた部位にインペラブレードが固定されることで構成される回転羽根部を備えてドラム内に水平に配されて回転する羽根車によって前記被分離物が粉砕されて分離されるように該被分離物が前記ドラムの一方の端面の上側部に開口されて設けられた投入口から投入されるように設けられた分離機へ、水平に配されたスクリューの動作によって順次送る分離機用の被分離物フィード装置において、
前記被分離物を前記分離機へ供給できるように横長に延びる通路を形成すると共に前記スクリューが挿入される供給通路部であって、上方に位置して前記被分離物を供給するホッパーに接続できる上面開口接続部と、前記分離機の被分離物が投入される投入口に接続される円筒状の接続管部とを備え、
前記接続管部における円筒状の内周面の円周方向に間隔を置いた複数箇所に、前記内周面から前記スクリューに干渉しない高さの凸状に設けられると共に軸方向へ線状に延長されて設けられ、前記被分離物の送りを案内する線状ガイド凸部を備え、
前記スクリューの螺旋羽根のピッチが、前記供給通路部の前記上面開口接続部の側から前記接続管部の前記被分離物の出口側へ向かって、徐々に狭くなるように設けられていることを特徴とする分離機用の被分離物フィード装置。
【請求項２】
前記線状ガイド凸部が、前記内周面の円周等分位置の８箇所に設けられていることを特徴とする請求項１記載の分離機用の被分離物フィード装置。
【請求項３】
前記線状ガイド凸部の高さが、前記内周面と前記スクリューとの間隔の半分よりも小さいことを特徴とする請求項１又は２記載の分離機用の被分離物フィード装置。
【請求項４】
前記被分離物が、吸水性ポリマーを用いた使用済みのおむつであることを特徴とする請求項１〜３のいずれかに記載の分離機用の被分離物フィード装置。
【発明の詳細な説明】
【技術分野】
【０００１】
この発明は、液体含有物及び樹脂シート状物を含む被分離物を、液体含有物と樹脂シート状物とに遠心力を用いて分離する分離機へ、スクリューの動作によって順次送る分離機用の被分離物フィード装置に関する。
【背景技術】
【０００２】
従来の分離機用の被分離物フィード装置としては、例えば、一端面に排出口を設けた処理ドラムと、この処理ドラムに被処理物を供給するホッパーと、処理ドラムの中に収容し、かつ回動自在に支持された移送スクリューと、この移送スクリューを所定の回転速度で回転させる回転駆動部と、先端を尖形に形成し、かつ処理ドラムの内面から突出することにより、移送スクリューに対向する多数の破袋ピンとを備え、袋に生ゴミを収容した被処理物を迅速かつ確実に破袋するとともに、破袋により得られた破袋材を小型の分離機でも処理できるようにして分離機の汎用性を高める破袋装置（特許文献１参照）が、本出願人によって提案されている。
【０００３】
また、従来の分離機としては、例えば、回転軸の両端部を除いた部位にインペラブレードが固定されることで構成される回転羽根部を備えてドラム内に水平に配されて回転する羽根車によって、分離対象物が粉砕されて分離されるように、該分離対象物が、前記ドラムの一方の端面の上側部に開口されて設けられた投入口から、回転している状態の前記回転羽根部における前記回転軸の軸延長方向に係る一方の端部上側へ投入される分離装置において、前記羽根車には、前記インペラブレードが４枚設けられ、該４枚のインペラブレードのうちの回転軸の軸心を中心にして反対位置に設けられている２枚のインペラブレードが、矩形ブレード状に形成され、前記回転羽根部の前記一方の端部上側を構成する一方の端部角部を備えるように設けられていると共に、前記４枚のインペラブレードのうちの前記矩形ブレード状に形成された２枚のインペラブレードを除くインペラブレードであって回転軸の軸心を中心にして反対位置に設けられている２枚のインペラブレードが、前記分離対象物の投入される側である一方の端側がテーパ状に切り欠かれた状態に形成されたテーパ状端部を備えるように設けられ、前記インペラブレードのうち前記矩形ブレード状に形成された２枚のインペラブレードが、前記回転軸に固定されたブレード基体部と、該ブレード基体部の前記回転軸の軸心を中心とする拡径方向の先端である縁辺部に固定された縁ブレード部と、該縁ブレード部を固定するための縁ブレード押え部とによって構成され、前記回転羽根部の前記一方の端部上側を構成する前記一方の端部角部に位置する前記縁ブレード押え部の前記回転軸の軸延長方向に係る一方の端縁部に、突起した形状の掻き込み爪が設けられ、該掻き込み爪が、前記縁ブレード押え部の前記一方の端縁部の上側角へ尖ると共に回転方向へ尖ることで三角錐形状に設けられていることを特徴とする分離装置（特許文献２参照）が、本出願人によって提案されている。
【先行技術文献】
【特許文献】
【０００４】
【特許文献１】特開２００４−２５５３２８号公報（第１頁）
【特許文献２】特許第６６５１０９２号公報（請求項１）
【発明の概要】
【発明が解決しようとする課題】
【０００５】
分離機用の被分離物フィード装置に関して解決しようとする課題は、従来は樹脂袋などの包装物に入ったものを分離機に投入するスクリュー・コンベア型の装置が提案されているが、例えば水分率の高い使用済みのおむつのような液体含有物及び樹脂シート状物を含む被分離物を、その被分離物が遠心力による分離効果が適切に得られるように、分離機へより適切に投入できる装置構成については十分に検討されていなかった点にある。
【０００６】
そこで、本発明の目的は、液体含有物及び樹脂シート状物を含む被分離物を、その被分離物が遠心力による分離効果が適切に得られるように、分離機へより適切に投入することができる分離機用の被分離物フィード装置を提供することにある。
【課題を解決するための手段】
【０００７】
本発明は、上記目的を達成するために次の構成を備える。
本発明に係る分離機用の被分離物フィード装置の一形態によれば、液体含有物及び樹脂シート状物を含む被分離物を、液体含有物と樹脂シート状物とに遠心力を用いて分離する分離機であって回転軸の両端部を除いた部位にインペラブレードが固定されることで構成される回転羽根部を備えてドラム内に水平に配されて回転する羽根車によって前記被分離物が粉砕されて分離されるように該被分離物が前記ドラムの一方の端面の上側部に開口されて設けられた投入口から投入されるように設けられた分離機へ、水平に配されたスクリューの動作によって順次送る分離機用の被分離物フィード装置において、前記被分離物を前記分離機へ供給できるように横長に延びる通路を形成すると共に前記スクリューが挿入される供給通路部であって、上方に位置して前記被分離物を供給するホッパーに接続できる上面開口接続部と、前記分離機の被分離物が投入される投入口に接続される円筒状の接続管部とを備え、前記接続管部における円筒状の内周面の円周方向に間隔を置いた複数箇所に、前記内周面から前記スクリューに干渉しない高さの凸状に設けられると共に軸方向へ線状に延長されて設けられ、前記被分離物の送りを案内する線状ガイド凸部を備え、
前記スクリューの螺旋羽根のピッチが、前記供給通路部の前記上面開口接続部の側から前記接続管部の前記被分離物の出口側へ向かって、徐々に狭くなるように設けられている。
【０００９】
また、本発明に係る分離機用の被分離物フィード装置の一形態によれば、前記線状ガイド凸部が、前記内周面の円周等分位置の８箇所に設けられていることを特徴とすることができる。
【００１０】
また、本発明に係る分離機用の被分離物フィード装置の一形態によれば、前記線状ガイド凸部の高さが、前記内周面と前記スクリューとの間隔の半分よりも小さいことを特徴とすることができる。
【００１１】
また、本発明に係る分離機用の被分離物フィード装置の一形態によれば、前記被分離物が、吸水性ポリマーを用いた使用済みのおむつであることを特徴とすることができる。
【発明の効果】
【００１２】
本発明の分離機用の被分離物フィード装置によれば、液体含有物及び樹脂シート状物を含む被分離物を、その被分離物が遠心力による分離効果が適切に得られるように、分離機へより適切に投入することができるという特別有利な効果を奏する。
【図面の簡単な説明】
【００１３】
【図１】本発明に係る分離機用の被分離物フィード装置が装着された分離機の形態例を示す正面図である。
【図２】本発明に係る分離機用の被分離物フィード装置の形態例の要部を示す断面図である。
【図３】図２の形態例における被分離物の出口側の面を示す側面図である。
【図４】図２の形態例における部品としての供給通路部を示す断面図である。
【図５】図２の形態例における部品としてのスクリューを示す正面図である。
【図６】図２の形態例の供給通路部の接続管部に設けられた線状ガイド凸部を示す断面図である。
【発明を実施するための形態】
【００１４】
以下、本発明に係る分離機用の被分離物フィード装置の形態例を、添付図面（図１〜６）に基づいて詳細に説明する。
【００１５】
本形態例の分離機用の被分離物フィード装置は、例えば水分率の高い使用済みのおむつのような液体の含有率が高い、液体含有物及び樹脂シート状物を含む被分離物を、液体含有物と樹脂シート状物とに遠心力を用いて分離する分離機１０へ、その分離機１０に投入する前段階では液体をなるべく分離させないで、スクリュー４０の動作によって順次送ることができるものである。
【００１６】
２０は供給通路部であり、被分離物を分離機１０へ供給できるように横長に延びる通路を形成すると共にスクリュー４０が挿入されるように設けられており、上方に位置して被分離物を供給するホッパーに接続できる上面開口接続部２１と、分離機１０の被分離物が投入される投入口１１に接続される円筒状の接続管部３０とを備えている。すなわち、この供給通路部２０は、スクリュー・コンベア状の供給装置（フィード装置）を構成するように、被分離物が送られる上流側に上面開口接続部２１が設けられた上流側の通路を備え、その上流側の通路に連続して被分離物が送られる下流側に、接続管部３０によって設けられた円筒状の下流側の通路を備える。
【００１７】
３３は線状ガイド凸部であり、接続管部３０における内周面３２の円周方向に間隔を置いた複数箇所に、内周面３２からスクリュー４０に干渉しない高さの凸状に設けられると共に軸方向へ線状に延長されて設けられ、被分離物の送りを案内するように設けられている。なお、本形態例では、線状ガイド凸部３３が、接続管部３０の軸線の延長方向の全長に亘って連続した形状に設けられているが、本発明はこれに限定されるものではなく、接続管部３０の軸線の延長方向に延びる形態であれば、接続管部３０の全長でなくて部分的でもあってもよく、若しくは断続的に設けられていてもよい。さらに、断続的に設けられている場合は、その線状ガイド凸部３３の数が、被分離物が送られる上流と下流とで異なっていてもよい。
【００１８】
この線状ガイド凸部３３によれば、スクリュー４０の軸心を中心にする回転によって生じて被分離物にかかる圧力を、スクリュー４０の軸方向の延長方向へ送る運動の圧力に適切に変換することができる。従って、この本発明の分離機用の被分離物フィード装置によれば、液体含有物及び樹脂シート状物を含む被分離物を、その被分離物が遠心力による分離効果が適切に得られるように、分離機へより適切に投入することができるという特別有利な効果を奏する。
【００１９】
また、本形態例によれば、具体的に、被分離物の一例である水分率の高い使用済みのおむつを、遠心力による分離効果が適切に得られるように、分離機１０へより適切に投入できる装置構成なっている。すなわち、例えば使用済みの使い捨て紙おむつを本形態例の分離機用の被分離物フィード装置によって分離機１０へ送る場合には、おむつの透水性のない樹脂シート状物及びフィルタ状に設けられた透水性のある樹脂シート状物が、接続管部３０の内周面３２に貼り付いたような状況になってスクリュー４０と共回りし易いが、線状ガイド凸部３３が抵抗となって樹脂シート状物の共回り阻止するように作用する。そして、この線状ガイド凸部３３の作用によって、使用済みのおむつに作用する力を、送り方向へ適切に案内するようにその方向性を適切に変換でき、スムーズに送ることができる。なお、樹脂シート状物とは、おむつの構成物に限定されるものではなく、シート状やフィルム状の材料によって袋状に形成された樹脂袋も含まるのは勿論である。
【００２０】
また、本形態例では、スクリュー４０の螺旋羽根４２のピッチが、供給通路部２０の上面開口接続部２１の側から接続管部３０の被分離物の出口３１側へ向かって、徐々に狭くなるように設けられている。なお、ピッチが徐々に狭くなっているとは、連続的にピッチが狭くなる場合と、所要の範囲のブロックとして上流側の部分に比して下流側の部分が、断続的にそのピッチが狭くなる場合を含むことを意味することは勿論である。
【００２１】
本形態例によれば、例えば水分率の高い使用済みの使い捨て紙おむつのような液体含有物及び樹脂シート状物を含む被分離物を、その被分離物が遠心力による分離効果が適切に得られるように、その分離機１０に投入する前段階では液体と分離させないで、分離機へより適切に投入できると共に、接続管部３０の軸心の延長方向へ長さを短くできるようにコンパクトに形成できるという特別有利な効果を奏する。
【００２２】
すなわち、本形態例によれば、スクリュー４０の接続管部３０に配されたピッチが狭く設けられたスクリュー羽根（螺旋羽根４２）の部分が、パッキンのように働いて液体（例えば水分）だけが分離して流れてしまうことを防止することができる。つまり、スクリュー４０の螺旋羽根４２のピッチが徐々に狭くなっていることで、被分離物が圧縮されることになるが、ピッチの狭い螺旋羽根４２の部分が適度な抵抗となることによって、液体の流出を止めることができ、被分離物に適度な圧力がかかることによって等速度で順次安定的に送ることができる。なお、接続管部３０が十分に長く設定できる形態の場合は、その接続管部３０内に螺旋羽根４２の十分なピッチ分が配される状態になって液体は漏れにくい適度な抵抗が付与される状態になるため、本形態例のように螺旋羽根４２ピッチを徐々に狭くする形態とする必要がない場合もある。
【００２３】
また、本形態例では、線状ガイド凸部３３が、内周面３２の円周等分位置の８箇所に設けられている。これによれば、送られる被分離物に対してバランス良く抵抗として作用し、その被分離物を、分離機へバランス良く順次安定的に送ることができる。なお、スクリュー４０の螺旋羽根４２のピッチが徐々に狭くなっていることで、被分離物が圧縮されることになるが、その圧力を線状ガイド凸部３３が適切に受けることができて送りの運動に変換でき、被分離物を適切に送ることができる。
【００２４】
なお、この線状ガイド凸部３３の本数や配置の位置関係については、本形態例に限定されるものではなく、被分離物の種類や装置のサイズなどの条件の違いによって、適宜選択的に設定することができるものは勿論である。
【００２５】
また、本形態例では、線状ガイド凸部３３の高さが、内周面３２とスクリュー４０との間隔の半分よりも小さく設けられている。これによれば、内周面３２とスクリュー４０とのクリアランスを、片持ちに軸受・支持されたスクリュー４０が撓んだ状態でも干渉しない適切な長さ（寸法）の設定とすることができる。
【００２６】
また、本形態例の線状ガイド凸部３３は、被分離物の動きに対する適度な抵抗となるように、図６に示すように、断面が山形の形状に設けられている。その製造は、例えば、角棒を、その長手方向に沿って両脇を溶接によって固定することで、その断面を上底が下底よりも短い左右対称の台形の形状となるように設けることができる。
【００２７】
また、本形態例のスクリュー４０では、スクリュー軸４１に螺旋羽根４２を溶接することで設けられており、駆動装置部５０は、電動モータと減速装置部とチェーンなどを用いた動力伝達部とによって構成されており、適切な速度でスクリュー４０を回転できるように設けられている。
【００２８】
以上に説明した形態例は、被分離物が、吸水性ポリマーを用いた使用済みのおむつである場合に、有効に利用できるものであるが、本発明はこれに限定されるものではなく、例えば樹脂製の包装資材によって包装された食品など、他の液体含有物及び樹脂シート状物を含む被分離物についても適切に応用できることは勿論である。
【００２９】
以上、本発明につき好適な形態例を挙げて種々説明してきたが、本発明はこの形態例に限定されるものではなく、発明の精神を逸脱しない範囲内で多くの改変を施し得るのは勿論のことである。
【符号の説明】
【００３０】
１０  分離機
１１  投入口
２０  供給通路部
２１  上面開口接続部
３０  接続管部
３１  被分離物の出口
３２  内周面
３３  線状ガイド凸部
４０  スクリュー
４１  スクリュー軸
４２  螺旋羽根
５０  駆動装置部
【要約】
【課題】液体含有物及び樹脂シート状物を含む被分離物を、その被分離物が遠心力による分離効果が適切に得られるように、分離機へより適切に投入することができる分離機用の被分離物フィード装置を提供する。
【解決手段】被分離物を分離機１０へ供給できるように横長に延びる通路を形成すると共にスクリュー４０が挿入される供給通路部２０であって、上方に位置して被分離物を供給するホッパーに接続できる上面開口接続部２１と、分離機１０の被分離物が投入される投入口１１に接続される円筒状の接続管部３０とを備え、接続管部３０における内周面３２の円周方向に間隔を置いた複数箇所に、内周面３２からスクリュー４０に干渉しない高さの凸状に設けられると共に軸方向へ線状に延長されて設けられ、被分離物の送りを案内する線状ガイド凸部３３を備える。
【選択図】図１【図１】
0006935953.tif 000002
【図２】
0006935953.tif 000003
【図３】
0006935953.tif 000004
【図４】
0006935953.tif 000005
【図５】
0006935953.tif 000006
【図６】
0006935953.tif 000007